(57)【要約】【課題】物を引っ掛け又は吊り下げる壁掛け部材を壁面に対して相対的に移動させることができるようにする。【解決手段】建物の壁面Ｗに該壁面Ｗから離れた状態で取付具Ｈにより取付固定される壁掛けバーＢは、長手方向に延び且つ取付具Ｈにおけるフック部材６の雄ネジ部６ａが挿通可能な長孔１ａ，１ａ，…が貫通形成された板状のバー部材１と、バー部材１に長手方向にスライド可能に係合支持され、長孔１ａ，１ａ，…に対応し且つフック部材６の雄ネジ部６ａが挿通可能な孔部２ａが貫通形成された複数のワッシャー部材２，２，…と、を備える。各フック部材６のフランジ部６ｃとジョイント部材５との間にワッシャー部材２とバー部材１とが挟持され、ワッシャー部材２がバー部材１に押し付けられてワッシャー部材２のバー部材１に対するスライドが規制された状態で、壁面Ｗに取付固定される。【選択図】図１
2020016036.tif 000002
【特許請求の範囲】
【請求項１】
建物の壁面に該壁面から離れた状態で取付具により取付固定される壁掛けバーであって、
長手方向に延び且つ前記取付具が挿通可能な少なくとも１つの長孔が貫通形成された板状のバー部材と、
前記バー部材に長手方向にスライド可能に係合支持され、前記長孔に対応し且つ前記取付具が挿通可能な孔部が貫通形成された複数のワッシャー部材と、を備え、
前記ワッシャー部材が前記バー部材に前記取付具によって押し付けられて前記ワッシャー部材の前記バー部材に対するスライドが規制された状態で、前記壁面に取付固定されるように構成されている
ことを特徴とする壁掛けバー。
【請求項２】
請求項１に記載した壁掛けバーにおいて、
前記取付具は、前記壁面に取付固定され且つ雌ネジ部を有する雌ネジ部材と、該雌ネジ部材に螺合可能な雄ネジ部を有し、前記長孔及び前記孔部に挿通可能な雄ネジ部材とからなり、
前記雄ネジ部材を前記長孔及び前記孔部に挿通させて前記雌ネジ部材に螺合締結させることにより、前記雄ネジ部材及び前記雌ネジ部材間に前記バー部材と前記ワッシャー部材とが挟持されて前記ワッシャー部材の前記バー部材に対するスライドが規制されるように構成されている
ことを特徴とする壁掛けバー。
【請求項３】
請求項１又は２に記載した壁掛けバーにおいて、
前記バー部材及び前記ワッシャー部材は押出成形材からなり、
前記バー部材裏面の幅方向の両端部には、互いに対向するように開口し且つバー部材の長手方向に延びるガイド溝が設けられ、
前記ワッシャー部材の対向する両端部がそれぞれ前記バー部材のガイド溝にスライド可能に嵌合されている
ことを特徴とする壁掛けバー。
【請求項４】
請求項３に記載した壁掛けバーにおいて、
下側に位置する前記ガイド溝に係止可能な係止部を有する吊下部材を更に備える
ことを特徴とする壁掛けバー。
【請求項５】
請求項１〜４のいずれか１項に記載した壁掛けバーにおいて、
先端部に前記長孔及び前記孔部に挿通可能な雄ネジ部を有し、基端部にフック部を有するフック部材と、
前記長孔及び前記孔部に挿通された前記フック部材の前記雄ネジ部と螺合締結され、前記フック部材との間に前記バー部材と前記ワッシャー部材とを挟み込む締結部材と、
を更に備え、
前記フック部材、前記ワッシャー部材及び前記締結部材が前記長孔内で前記バー部材に対しスライド移動可能となっていることを特徴とする壁掛けバー。
【請求項６】
請求項２〜５のいずれか１項に記載した壁掛けバーの前記長孔及び前記孔部に雄ネジ部材が挿通され、
前記壁面に雌ネジ部材が取付固定されており、
前記雌ネジ部材に前記雄ネジ部材が螺合締結されることにより、前記雄ネジ部材及び前記雌ネジ部材間に前記バー部材と前記ワッシャー部材とが挟持されて前記ワッシャー部材の前記バー部材に対するスライドが規制された状態で、前記壁掛けバーが前記壁面に取付固定されるように構成されている
ことを特徴とする壁掛けバー取付構造。
【請求項７】
請求項６に記載した壁掛けバー取付構造において、
前記雄ネジ部材は先端部に雄ネジ部を有し、基端部にフック部を有する
ことを特徴とする壁掛けバー取付構造。
【請求項８】
請求項６又は７に記載した壁掛けバー取付構造において、
前記壁面に取付孔が形成されており、
前記雌ネジ部材は、
前記壁面の取付孔に基端面が前記壁面に露出した状態で挿入されて取付固定され、該基端面に雌ネジ部が設けられたインサート部材と、
先端部に雄ネジ部が設けられ、該雄ネジ部で前記インサート部材の雌ネジ部に螺合締結し、基端部に雌ネジ部が設けられているジョイント部材と、からなる
ことを特徴とする壁掛けバー取付構造。
【発明の詳細な説明】
【技術分野】
【０００１】
本発明は、建物の壁面に取り付けられる、壁掛けバー及びその取付構造に関するものである。
【背景技術】
【０００２】
この種の技術として、例えば、特許文献１のフック係止構造や特許文献２の長押レールが知られている。
【０００３】
特許文献１のフック係止構造は、鴨居等の水平部材の長手方向に沿って埋設され、開口部よりも奥部の幅が広くなった中空断面形状を有する埋込みレール部材と、その開口部を介して埋込みレール部材に係止する係止フックと、この係止フックに重ねて配置される補助プレートとを有する。
【０００４】
しかし、特許文献１のフック係止構造では、水平部材に埋込みレール部材を埋設固定する必要があり、構造が複雑になるだけでなく、一旦埋込みレール部材が埋設固定されると、その埋込みレール部材を位置変更のために取り外すことができず不便であった。また、前記係止フックは、合成樹脂等からなるプレート状部材であるので、比較的軽い物しか吊り下げることができなかった。
【０００５】
これに対し、特許文献２の長押レールでは、壁面にベース材をピン止めして固定し、このベース材に二つ合わせに重なるカバー材を組み合わせ、その両端をエンドキャップで封じるようになっている。この長押レールには、上部に凹溝レールが形成されており、この凹溝レールに衣紋掛け等を引っ掛けて使用される。また、この長押レールは、壁面にピン止めして固定されることから、部屋の利用者が壁面の好きな場所に簡単に設置することができるようになっている。
【先行技術文献】
【特許文献】
【０００６】
【特許文献１】特開２００５−５２２４３号公報
【特許文献２】特許６０８０４６３号公報
【発明の概要】
【発明が解決しようとする課題】
【０００７】
しかし、特許文献２の長押レール（壁掛け部材）は、壁面の任意の場所に設置できるものの、壁面に複数のピンで固定されるため、一旦壁面に取付固定されると、その状態での位置変更はできず、壁面に対して相対的に移動させることができなかった。
【０００８】
本発明は斯かる点に鑑みてなされたものであり、その目的は、物を引っ掛け又は吊り下げる壁掛け部材を壁面に対して相対的に移動させることができるようにすることにある。
【課題を解決するための手段】
【０００９】
上記の目的を達成するために、この発明では、バー部材（壁掛け部材）と、このバー部材にスライド可能に係合支持されたワッシャー部材とが、壁面から離れた状態で取付具によって壁面に取付固定されるようにした。
【００１０】
具体的には、第１の発明は、建物の壁面に該壁面から離れた状態で取付具により取付固定される壁掛けバーであって、長手方向に延び且つ前記取付具が挿通可能な少なくとも１つの長孔が貫通形成された板状のバー部材と、前記バー部材に長手方向にスライド可能に係合支持され、前記長孔に対応し且つ前記取付具が挿通可能な孔部が貫通形成された複数のワッシャー部材と、を備え、前記ワッシャー部材が前記バー部材に前記取付具によって押し付けられて前記ワッシャー部材の前記バー部材に対するスライドが規制された状態で、前記壁面に取付固定されるように構成されていることを特徴とする。
【００１１】
この第１の発明では、バー部材及びワッシャー部材は取付具によって壁面に取り付けられる。また、ワッシャー部材はバー部材に対してスライド可能であるので、取付具によるワッシャー部材のバー部材に対するスライド規制を解除することで、バー部材における取付具の位置を長手方向に移動させることができる。このことから、バー部材を壁面に対して相対的に移動させることができる。すなわち、物を引っ掛け又は吊り下げる部材を壁面に対して相対的に移動させることができる。
【００１２】
また、壁掛けバーは、建物の壁面から離れた状態で壁面に固定されるので、壁面を傷つけずにバー部材の上端部や長孔に物を引っ掛けて使用することができる。
【００１３】
第２の発明は、第１の発明において、前記取付具は、前記壁面に取付固定され且つ雌ネジ部を有する雌ネジ部材と、該雌ネジ部材に螺合可能な雄ネジ部を有し、前記長孔及び前記孔部に挿通可能な雄ネジ部材とからなり、前記雄ネジ部材を前記長孔及び前記孔部に挿通させて前記雌ネジ部材に螺合締結させることにより、前記雄ネジ部材及び前記雌ネジ部材間に前記バー部材と前記ワッシャー部材とが挟持されて前記ワッシャー部材の前記バー部材に対するスライドが規制されるように構成されていることを特徴とする。
【００１４】
この第２の発明では、取付具の雄ネジ部材及び雌ネジ部材の螺合締結により、雄ネジ部材及び雌ネジ部材間にバー部材とワッシャー部材とが挟持され、ワッシャー部材のバー部材に対するスライドが規制される。また、雄ネジ部材及び雌ネジ部材の螺合締結により、壁掛けバーの壁面への取り付け及び取り外しが容易である。
【００１５】
第３の発明は、第１又は第２の発明において、前記バー部材及び前記ワッシャー部材は押出成形材からなり、前記バー部材裏面の幅方向の両端部には、互いに対向するように開口し且つバー部材の長手方向に延びるガイド溝が設けられ、前記ワッシャー部材の対向する両端部がそれぞれ前記バー部材のガイド溝にスライド可能に嵌合されていることを特徴とする。
【００１６】
この第３の発明では、バー部材の長手方向に延びるガイド溝にワッシャー部材の両端部がスライド可能に嵌合されているので、簡単な構成によってバー部材をワッシャー部材に対し相対移動させることができ、物を引っ掛け又は吊り下げる部材を壁面に対して相対的に移動させることができる。
【００１７】
第４の発明は、第３の発明において、下側に位置する前記ガイド溝に係止可能な係止部を有する吊下部材を更に備えることを特徴とする。
【００１８】
この第４の発明では、バー部材に係止される吊下部材を備えるので、バー部材の上端部や長孔に加え、それ以外に吊下部材にも物を吊り下げて使用することができる。
【００１９】
第５の発明は、第１乃至第４の発明のいずれか１つにおいて、先端部に前記長孔及び前記孔部に挿通可能な雄ネジ部を有し、基端部にフック部を有するフック部材と、前記長孔及び前記孔部に挿通された前記フック部材の前記雄ネジ部と螺合締結され、前記フック部材との間に前記バー部材と前記ワッシャー部材とを挟み込む締結部材と、を更に備え、前記フック部材、前記ワッシャー部材及び前記締結部材が前記長孔内で前記バー部材に対しスライド移動可能となっていることを特徴とする。
【００２０】
この第５の発明では、先端部に長孔及び孔部に挿通可能な雄ネジ部を有し基端部にフック部を有するフック部材と、を備えるので、バー部材の上端部及び長孔、並びに吊下部材に加え、それ以外にフック部材のフック部にも物を引っ掛け又は吊り下げて使用することができる。また、フック部材は、バー部材に対しスライド移動可能となっているので、長孔の任意の位置に移動させて使用することができる。
【００２１】
第６の発明は壁掛けバー取付構造に係り、この壁掛けバー取付構造は、第２乃至第５の発明のいずれか１つの壁掛けバーの前記長孔及び前記孔部に雄ネジ部材が挿通され、前記壁面に雌ネジ部材が取付固定されており、前記雌ネジ部材に前記雄ネジ部材が螺合締結されることにより、前記雄ネジ部材及び前記雌ネジ部材間に前記バー部材と前記ワッシャー部材とが挟持されて前記ワッシャー部材の前記バー部材に対するスライドが規制された状態で、前記壁面に取付固定されるように構成されていることを特徴とする。
【００２２】
この第６の発明では、第１乃至第５の発明の作用効果を奏する壁掛けバーを壁面に取り付けることができる。
【００２３】
第７の発明は、第６の発明において、前記雄ネジ部材は先端部に雄ネジ部を有し、基端部にフック部を有することを特徴とする。
【００２４】
この第７の発明では、雄ネジ部材がフック部を有するので、壁掛けバー以外にフック部にも物を引っ掛け又は吊り下げて使用することができる。
【００２５】
第８の発明は、第６又は第７の発明において、前記壁面に取付孔が形成されており、前記雌ネジ部材は、前記壁面の取付孔に基端面が前記壁面に露出した状態で挿入されて取付固定され、該基端面に雌ネジ部が設けられたインサート部材と、先端部に雄ネジ部が設けられ、該雄ネジ部で前記インサート部材の雌ネジ部に螺合締結し、基端部に雌ネジ部が設けられているジョイント部材と、からなることを特徴とする。
【００２６】
この第８の発明では、雌ネジ部材が、壁面の取付孔に挿入されて取付固定されたインサート部材と、このインサート部材の雌ネジ部に螺合締結したジョイント部材とからなるので、ジョイント部材及び雄ネジ部材間にバー部材とワッシャー部材とが挟持されて壁面に取付固定される。すなわち、壁掛けバーは、壁面に該壁面から離れた状態で取付固定される。これにより、簡単な構成によって、壁面を傷つけずにバー部材の上端部や長孔に物を引っ掛けて使用することができる。
【発明の効果】
【００２７】
以上説明したように、本発明によると、バー部材を壁面に対して相対移動可能に固定したことにより、物を引っ掛け又は吊り下げる部材を壁面に対して相対的に移動させることができる。また、壁面を傷つけずにバー部材の上端部や長孔に物を引っ掛けて使用することができる。
【図面の簡単な説明】
【００２８】
【図１】図１は、本発明の実施形態に係る壁掛けバー取付構造の斜視図である。
【図２】図２は、壁掛けバー取付構造の要部断面図である。
【図３】図３は、壁掛けバーの正面図である。
【図４】図４は、壁掛けバーの背面図である。
【図５】図５は、壁掛けバーの断面図である。
【図６】図６は、壁掛けバーの吊下部材における断面図である。
【図７】図７は、壁掛けバーのフック部材における断面図である。
【発明を実施するための形態】
【００２９】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３０】
図１及び図２は、本発明の実施形態に係る壁掛けバー取付構造Ｓを示す。壁掛けバー取付構造Ｓでは、壁掛けバーＢが、建物の壁面Ｗに該壁面Ｗから離れた状態で取付具Ｈ，Ｈ，…により取付固定されている。
【００３１】
−壁掛けバー−
壁掛けバーＢは、細長い板状のバー部材１と、このバー部材１の長手方向にスライド可能に係合支持された例えば４つの四角い板状のワッシャー部材２，２，…とを備えている。バー部材１及び各ワッシャー部材２は、いずれもアルミ製の押出成形材からなる。
【００３２】
図３に示すように、バー部材１は、板状に形成されており、その寸法は、例えば長さ１５００ｍｍ、幅４０ｍｍ及び厚さ１．５ｍｍである。バー部材１の長さは１５００ｍｍの他に例えば１０８０ｍｍや６６０ｍｍであってもよく、必要に応じた任意の長さを採用することができる。バー部材１の例えば幅方向中央部には、長手方向に延びる例えば７つの長孔１ａ，１ａ，…が長手方向に一列に並んで貫通形成されている。これらの長孔１ａ，１ａ，…互いに同じもので、各取付具Ｈ（フック部材６の雄ネジ部６ａ）が挿通可能とされている。なお、各長孔１ａの寸法は、例えば長さ１６７ｍｍ、幅１３ｍｍである。
【００３３】
図４及び図５に示すように、バー部材１裏面の幅方向（図２において、上下方向）の両端部には、互いに対向するように開口し且つバー部材１の長手方向に延びる上側のガイド溝１ｂ及び下側のガイド溝１ｃが設けられている。なお、バー部材１は、その幅方向中間部の厚さが幅方向両端部に比べて厚くなっている。
【００３４】
ワッシャー部材２，２，…は、四角い板状に形成されている。各ワッシャー部材２には、バー部材１の長孔１ａ，１ａ，…に対応し且つ取付具Ｈ（フック部材６の雄ネジ部６ａ）が挿通可能な孔部２ａが貫通形成されている。具体的に、この孔部２ａは円形であり、その径は各長孔１ａの幅より少し小さい。ワッシャー部材２の寸法は、左右の長さが、例えば３０ｍｍであり、上下の長さがバー部材のガイド溝１ｂ，１ｃの間隔と略同じとされている。そして、ワッシャー部材２は、その上下の両端部２ｂ，２ｃが、それぞれバー部材１の裏面の上下のガイド溝１ｂ，１ｃに対応した形状に形成されている。そして、ワッシャー部材２の上下の両端部２ｂ，２ｃは、それぞれバー部材１の裏面の上下のガイド溝１ｂ，１ｃにスライド可能に嵌合されており、このことでワッシャー部材２がバー部材１にスライド可能に支持されている。また、ワッシャー部材２の上下方向中央部２ｄは、両端部２ｂ，２ｃよりも肉薄に形成されている。
【００３５】
壁掛けバーＢは、図１及び図６に示すように、吊下部材３，３を更に備えている。各吊下部材３は、金属製の細長いプレート材を鉤状に湾曲させて形成されており、物を吊り下げるためのものである。各吊下部材３は、その上部にバー部材１の下側に位置するガイド溝１ｃに対応した形状に形成された係止部３ａを有しており、この係止部３ａがガイド溝１ｃにスライド可能に係止されるようになっている。この係止部３ａがガイド溝１ｃにスライド可能に係止することで、各吊下部材３をガイド溝１ｃに沿ってスライドさせて係止位置を変えることができるようにしている。
【００３６】
壁掛けバーＢは、図１及び図７に示すように、フック部材６と、ナット部材（締結部材）８と、を更に備えている。フック部材６及びナット部材８は鋼材からなる。フック部材６は、その先端部に雄ネジ部６ａを有している。この雄ネジ部６ａは、バー部材１の各長孔１ａ及びワッシャー部材２の孔部２ａよりもその径が小さく、各長孔１ａ及び孔部２ａに挿通可能となっている。
【００３７】
また、フック部材６は、基端部にフック部６ｂを有している。このフック部６ｂにおいて、雄ネジ部６ａとの接続部及び基端部が、それぞれ径方向に拡がったフランジ部６ｃ，６ｄとされている。フランジ部６ｃ，６ｄの径は、バー部材１の各長孔１ａの幅よりも大きい。
【００３８】
フック部材６の雄ネジ部６ａは、長孔１ａ及び孔部２ａに挿通されている。
【００３９】
ナット部材８は、フック部材６の雄ネジ部６ａと螺合締結するように、フック部材６の雄ネジ部６ａに対応した形状に形成されている。ナット部材８の外径の最大の長さは、ワッシャー部材２の孔部２ａの径より大きく、ワッシャー部材２の上下方向中央部２ｄの幅より小さい。
【００４０】
ナット部材８は、長孔１ａ及び孔部２ａに挿通されたフック部材６の雄ネジ部６ａと螺合締結される。これにより、ナット部材８は、フック部材６との間にバー部材１とワッシャー部材２とを挟み込むようになっている。この状態で、ナット部材８を雄ネジ部６ａに固く締結することで、ワッシャー部材２のバー部材１に対するスライドを規制することができる。また、ナット部材８の雄ネジ部６ａへの締結を緩めることで、フック部材６、ワッシャー部材２及びナット部材８を長孔１ａ内でバー部材１に対しスライド移動させることができる。
【００４１】
−取付具−
取付具Ｈは、図２に示すようにインサート部材４（雌ネジ部材）と、ジョイント部材５（雌ネジ部材）と、フック部材６（雄ネジ部材）とからなる。インサート部材４、ジョイント部材５は、いずれも鋼材からなる。
【００４２】
インサート部材４は棒状のもので、その先端側（図２において左側）に雄ネジ部４ａを有している。インサート部材４は、この雄ネジ部４ａを壁面Ｗに穿設された取付孔７に対して螺合させて取付固定されており、その基端面４ｂは壁面Ｗに露出している。取付孔７は、壁面Ｗにおいて、内部に柱などの頑丈な部材が配置されている位置に穿設されており、インサート部材４は、その柱などの頑丈な部材にまで到達するように挿入される。例えば、インサート部材４は、４５５ｍｍ間隔で配置された複数の柱にそれぞれ到達するように取付固定されている。このようにして、取付具Ｈは、頑丈な柱などによって強固に支持された状態で壁面Ｗに取付固定される。
【００４３】
また、インサート部材４は、その基端面４ｂにジョイント部材５と係合するための雌ネジ部４ｃが形成されている。
【００４４】
ジョイント部材５は棒状のもので、先端部に雄ネジ部５ａが設けられている。この雄ネジ部５ａは、インサート部材４の雌ネジ部４ｃに対応した形状に形成されており、ジョイント部材５は、雄ネジ部５ａでインサート部材４の雌ネジ部４ｃと螺合締結されることにより、インサート部材４と一体となっている。雄ネジ部５ａの基端側（図２において右側）には、円柱状のジョイント部（基端部）５ｂが設けられている。このジョイント部５ｂの円柱の径は、ワッシャー部材２の孔部２ａの径より大きく、ワッシャー部材２の上下方向中央部２ｄの幅より小さい。また、ジョイント部５ｂの基端面（基端部）５ｃには雌ネジ部５ｄが設けられている。
【００４５】
−取付構造−
壁掛けバーＢは、例えば水平に配置され且つバー部材１とワッシャー部材２とが壁面Ｗ上のジョイント部材５とフック部材６とによって挟持されて壁面Ｗに取付固定され、この状態ではワッシャー部材２がバー部材１に押し付けられている。
【００４６】
具体的に、壁掛けバーＢの４つのワッシャー部材２，２，…は、例えば、図１に示すように、それぞれバー部材１の４つの長孔１ａ，１ａ，…において、各孔部２ａの中心の間隔４５５ｍｍとなるように位置調整されている。なお、ワッシャー部材２，２，…の位置は、壁面Ｗに取付固定されたインサート部材４，４，…の位置に合わせて調整される。
【００４７】
この状態で、各長孔１ａ及び孔部２ａにフック部材６の雄ネジ部６ａが挿通され、この雄ネジ部６ａはジョイント部材５の雌ネジ部５ｄに螺合締結されており、このことにより、バー部材１及びワッシャー部材２は、フック部材６のフランジ部６ｃ及びジョイント部材５の基端面５ｃ間に挟持されている。これによって、ワッシャー部材２のバー部材１に対するスライドが規制された状態で、壁掛けバーＢが壁面Ｗに取付固定されている。
【００４８】
以上のように、この実施形態では、壁掛けバーＢのバー部材１及びワッシャー部材２，２，…は取付具Ｈ，Ｈ，…によって壁面Ｗに取り付けられる。また、各ワッシャー部材２はバー部材１に対してスライド可能であるので、取付具Ｈにおけるフック部材６を緩めることにより、バー部材１における各取付具Ｈの位置を長手方向に移動させることができる。このことから、バー部材１を壁面Ｗに対して相対的に移動させることができる。そして、バー部材１は、その上端部や長孔１ａ，１ａ，…に物を引っ掛け又は吊り下げることができる。すなわち、物を引っ掛け又は吊り下げる部材を壁面Ｗに対して相対的に移動させることができる。
【００４９】
また、この実施形態では、ジョイント部材５とフック部材６の螺合締結により、ジョイント部材５及びフック部材６間にバー部材１とワッシャー部材２とが挟持されるので、壁掛けバーＢの壁面Ｗへの取り付け及び取り外しが容易である。
【００５０】
また、この実施形態では、バー部材１が吊下部材３を有するので、バー部材１の上端部や長孔１ａ，１ａ，…に加えて、吊下部材３にも物を吊り下げて使用することができる。
【００５１】
また、この実施形態では、ジョイント部材５の雌ネジ部５ａに螺合する雄ネジ部材として、フック部６ｂを有するフック部材６を用いるので、壁掛けバーＢ以外にこのフック部６ｂに物を引っ掛け又は吊り下げて使用することができる。
【００５２】
また、この実施形態では、先端部に長孔１ａ，１ａ，…及び孔部２ａに挿通可能な雄ネジ部６ａを有し基端部にフック部６ｂを有するフック部材６と、を備えるので、バー部材１の上端部及び長孔１ａ、並びに吊下部材３に加え、それ以外にフック部材６のフック部６ａにも物を引っ掛け又は吊り下げて使用することができる。また、フック部材６は、バー部材１に対しスライド移動可能となっているので、長孔１ａ，１ａ，…の任意の位置に移動させて使用することができる。
【００５３】
また、この実施形態では、取付具Ｈの雄ネジ部材として用いるフック部材６が、ナット部材８に螺合締結されるフック部材６と同一であるので、壁掛けバーＢが壁面Ｗに取付固定されると、同一形状の複数のフック部材６，６，…がバー部材１の長孔１ａ，１ａ，…に並んで配置された状態となる。従って、壁掛けバーＢの見栄えがよくなる。
【００５４】
また、この実施形態では、壁面Ｗに取付固定される雌ネジ部材が、壁面Ｗの取付孔７に挿入されて取付固定されたインサート部材４と、このインサート部材４の雌ネジ部４ｃに螺合締結したジョイント部材５とからなり、ジョイント部材５及びフック部材６間にバー部材１とワッシャー部材２とが挟持されて壁面Ｗに取付固定される。すなわち、壁掛けバーＢは、壁面Ｗに該壁面Ｗから離れた状態で取付固定される。これにより、簡単な構成によって、壁面Ｗを傷つけずにバー部材１の上端部や長孔１ａ，１ａ，…に物を引っ掛けて使用することができる。
【００５５】
また、この実施形態では、フック部材６の雄ネジ部６ａを各長孔１ａ及び孔部２ａに挿通させてジョイント部材５の雌ネジ部５ｄに螺合締結させることにより、フック部材６及びジョイント部材５間にバー部材１とワッシャー部材２とが挟持されるので、フック部材６のジョイント部材５への螺合締結によって壁掛けバーＢの壁面Ｗへの取り付け及び取り外しが容易である。また、壁掛けバーＢを壁面Ｗに使用しないとき、すなわち、壁掛けバーＢを壁面Ｗから取り外した状態でも、取付孔７にはインサート部材４などが取付固定されているので、取付孔７が壁面Ｗに露出せず、建物の美観を保つことができる。更に、壁掛けバーＢを壁面Ｗから取り外した状態でも、フック部材６をジョイント部材５に螺合締結させることにより、壁面Ｗのフック部材６のフック部６ｂに物を引っ掛け又は吊り下げることができる。
【００５６】
また、この実施形態では、バー部材１及びワッシャー部材２，２，…が取付具Ｈ，Ｈ，…によって挟持されることにより、バー部材１がワッシャー部材２，２，…によって補強される。従って、バー部材１のみが取付具Ｈ，Ｈ，…によって挟持される場合と比較して、支持強度を高くすることができる。更に、取付具Ｈ，Ｈ，…は、頑丈な柱などによって強固に支持された状態で壁面Ｗに取付固定される。その結果、壁掛けバーＢには、比較的重い物を引っ掛け又は吊り下げることができる。
【００５７】
（その他の実施形態）
上記実施形態において、バー部材１の長孔の数は７つとしたが、これに限られず、５つ又は３つであってもよく、複数であればよい。
【００５８】
また、上記実施形態において、ワッシャー部材２及び取付具Ｈの数は４つとしたが、これに限られず、複数であればよい。バー部材１の長さが長いほどワッシャー部材２及び取付具Ｈの数を多くすれば、支持強度が大きくなる。
【００５９】
また、上記実施形態において、壁掛けバーＢは、２つの吊下部材３，３並びに一組のフック部材６及びナット部材８を備えるとしたが、吊下部材３、フック部材６及びナット部材８の数はこれに限られず、バー部材１の長さ、長孔１ａの数、又は、用途に応じて変更することができる。また、吊下部材３、フック部材６及びナット部材８を備えていない構成としてもよい。
【００６０】
また、上記実施形態において、ナット部材８が、長孔１ａ及び孔部２ａに挿通されたフック部材６の雄ネジ部６ａと螺合締結されるとしたが、これに限られない。例えば、雄ネジ部６ａと螺合締結する雌ネジ部が形成され、長孔１ａ及び孔部２ａに挿通されたフック部材６の雄ネジ部６ａを先端部まで覆うような樹脂製のキャップ部材が、雄ネジ部６ａに螺合締結されてもよい。
【００６１】
また、上記実施形態において、吊下部材３は独立した部材としたが、ワッシャー部材２と一体に形成されていてもよい。これにより、ワッシャー部材２の孔部２ａにフック部材６の雄ネジ部６ａを挿通させて、ジョイント部材５又はナット部材８に固く螺合締結させることにより、吊下部材３のバー部材１に対するスライドを規制することができる。
【産業上の利用可能性】
【００６２】
本発明は、壁掛けバー及びその取付構造として利便性が高く、極めて有用であり、産業上の利用可能性が高い。
【符号の説明】
【００６３】
Ｓ      壁掛けバー取付構造
Ｂ      壁掛けバー
Ｗ      壁面
Ｈ      取付具
１      バー部材
１ａ    長孔
１ｂ    上側ガイド溝
１ｃ    下側ガイド溝
２      ワッシャー部材
２ａ    孔部
２ｂ    上側の端部
２ｃ    下側の端部
３      吊下部材
３ａ    係止部
４      インサート部材（雌ネジ部材）
４ｂ    インサート部材の基端面
４ｃ    インサート部材の雄ネジ部
５      ジョイント部材（雌ネジ部材）
５ａ    ジョイント部材の雄ネジ部
５ｃ    ジョイント部材の基端面（基端部）
５ｄ    ジョイント部材の雌ネジ部
６      フック部材（雄ネジ部材）
６ａ    フック部材の雄ネジ部
６ｂ    フック部材のフック部
７      取付孔
８      ナット部材（締結部材）
【図１】
2020016036.tif 000003
【図２】
2020016036.tif 000004
【図３】
2020016036.tif 000005
【図４】
2020016036.tif 000006
【図５】
2020016036.tif 000007
【図６】
2020016036.tif 000008
【図７】
2020016036.tif 000009
【手続補正書】
【提出日】令和1年8月29日(2019.8.29)
【手続補正１】
【補正対象書類名】明細書
【補正対象項目名】全文
【補正方法】変更
【補正の内容】
【発明の詳細な説明】
【技術分野】
【０００１】
本発明は、建物の壁面に取り付けられる、壁掛けバー及びその取付構造に関するものである。
【背景技術】
【０００２】
この種の技術として、例えば、特許文献１のフック係止構造や特許文献２の長押レールが知られている。
【０００３】
特許文献１のフック係止構造は、鴨居等の水平部材の長手方向に沿って埋設され、開口部よりも奥部の幅が広くなった中空断面形状を有する埋込みレール部材と、その開口部を介して埋込みレール部材に係止する係止フックと、この係止フックに重ねて配置される補助プレートとを有する。
【０００４】
しかし、特許文献１のフック係止構造では、水平部材に埋込みレール部材を埋設固定する必要があり、構造が複雑になるだけでなく、一旦埋込みレール部材が埋設固定されると、その埋込みレール部材を位置変更のために取り外すことができず不便であった。また、前記係止フックは、合成樹脂等からなるプレート状部材であるので、比較的軽い物しか吊り下げることができなかった。
【０００５】
これに対し、特許文献２の長押レールでは、壁面にベース材をピン止めして固定し、このベース材に二つ合わせに重なるカバー材を組み合わせ、その両端をエンドキャップで封じるようになっている。この長押レールには、上部に凹溝レールが形成されており、この凹溝レールに衣紋掛け等を引っ掛けて使用される。また、この長押レールは、壁面にピン止めして固定されることから、部屋の利用者が壁面の好きな場所に簡単に設置することができるようになっている。
【先行技術文献】
【特許文献】
【０００６】
【特許文献１】特開２００５−５２２４３号公報
【特許文献２】特許６０８０４６３号公報
【発明の概要】
【発明が解決しようとする課題】
【０００７】
しかし、特許文献２の長押レール（壁掛け部材）は、壁面の任意の場所に設置できるものの、壁面に複数のピンで固定されるため、一旦壁面に取付固定されると、その状態での位置変更はできず、壁面に対して相対的に移動させることができなかった。
【０００８】
本発明は斯かる点に鑑みてなされたものであり、その目的は、物を引っ掛け又は吊り下げる壁掛け部材を壁面に対して相対的に移動させることができるようにすることにある。
【課題を解決するための手段】
【０００９】
上記の目的を達成するために、この発明では、バー部材（壁掛け部材）と、このバー部材にスライド可能に係合支持されたワッシャー部材とが、壁面から離れた状態で取付具によって壁面に取付固定されるようにした。
【００１０】
具体的には、第１の発明は、建物の壁面に該壁面から離れた状態で取付具により取付固定される壁掛けバーであって、長手方向に延び且つ前記取付具が挿通可能な少なくとも１つの長孔が貫通形成された板状のバー部材と、前記バー部材に長手方向にスライド可能に係合支持され、前記長孔に対応し且つ前記取付具が挿通可能な孔部が貫通形成された複数のワッシャー部材と、を備え、前記取付具により、前記ワッシャー部材が前記バー部材に押し付けられて前記ワッシャー部材の前記バー部材に対するスライドが規制された状態で、前記壁面に取付固定されるように構成されていることを特徴とする。
【００１１】
この第１の発明では、バー部材及びワッシャー部材は取付具によって壁面に取り付けられる。また、ワッシャー部材はバー部材に対してスライド可能であるので、取付具によるワッシャー部材のバー部材に対するスライド規制を解除することで、バー部材における取付具の位置を長手方向に移動させることができる。このことから、バー部材を壁面に対して相対的に移動させることができる。すなわち、物を引っ掛け又は吊り下げる部材を壁面に対して相対的に移動させることができる。
【００１２】
また、壁掛けバーは、建物の壁面から離れた状態で壁面に固定されるので、壁面を傷つけずにバー部材の上端部や長孔に物を引っ掛けて使用することができる。
【００１３】
第２の発明は、第１の発明において、前記取付具は、前記壁面に取付固定され且つ雌ネジ部を有する雌ネジ部材と、該雌ネジ部材の雌ネジ部に螺合可能でかつ前記長孔及び前記孔部に挿通可能な雄ネジ部を有する雄ネジ部材とからなり、前記雄ネジ部材の雄ネジ部を前記長孔及び前記孔部に挿通させて前記雌ネジ部材の雌ネジ部に螺合締結させることにより、前記雄ネジ部材及び前記雌ネジ部材間に前記バー部材と前記ワッシャー部材とが挟持されて前記ワッシャー部材の前記バー部材に対するスライドが規制され、かつ前記バー部材が雌ネジ部材に固定されるように構成されていることを特徴とする。
【００１４】
この第２の発明では、取付具の雄ネジ部材の雄ネジ部及び雌ネジ部材の雌ネジ部の螺合締結により、雄ネジ部材及び雌ネジ部材間にバー部材とワッシャー部材とが挟持され、ワッシャー部材のバー部材に対するスライドが規制され、バー部材が雌ネジ部材に固定される。また、雄ネジ部材及び雌ネジ部材の螺合締結により、壁掛けバーの壁面への取り付け及び取り外しが容易である。
【００１５】
第３の発明は、第２の発明において、前記雄ネジ部材は先端部に前記雄ネジ部を有し、基端部にフック部を有することを特徴とする。
【００１６】
この第３の発明では、取付具における雄ネジ部材がフック部を有するので、壁掛けバー以外にフック部にも物を引っ掛け又は吊り下げて使用することができる。
【００１７】
第４の発明は、第１乃至第３の発明のいずれか１つにおいて、先端部に、前記バー部材の長孔において前記取付具の挿通位置とは異なる位置、及び前記取付具が挿通されるワッシャー部材とは異なるワッシャー部材の孔部に挿通される雄ネジ部を有し、基端部にフック部を有するフック部材と、前記フック部材の雄ネジ部が前記長孔及び前記孔部に挿通された状態の該雄ネジ部と螺合締結され、前記フック部材との間に前記バー部材と前記ワッシャー部材とを挟み込む締結部材と、を更に備え、前記長孔及び前記孔部に挿通された状態の前記フック部材の雄ネジ部と前記締結部材との締結により、前記フック部材、前記ワッシャー部材及び前記締結部材が前記長孔内で前記バー部材に対しスライド移動可能となって、前記フック部材が前記バー部材に取付支持されていることを特徴とする。
【００１８】
この第４の発明では、前記雄ネジ部材とは異なる役割を持ったフック部材を備え、このフック部材は、先端部に、バー部材の長孔において前記取付具の挿通位置とは異なる位置、及び取付具が挿通されるワッシャー部材とは異なるワッシャー部材の孔部に挿通可能な雄ネジ部を有し、このバー部材の長孔及びワッシャー部材の孔部に挿通された雄ネジ部に締結部材が締結されることで、フック部材がバー部材に取付支持される。また、フック部材は、基端部にフック部を有するので、バー部材の上端部及び長孔、並びに吊下部材に加え、それ以外にフック部材のフック部にも物を引っ掛け又は吊り下げて使用することができる。また、フック部材は、バー部材に対しスライド移動可能となっているので、長孔の任意の位置に移動させて使用することができる。
【００１９】
第５の発明は、第１乃至第４の発明のいずれか１つにおいて、前記バー部材及び前記ワッシャー部材は押出成形材からなり、前記バー部材裏面の幅方向の両端部には、互いに対向するように開口し且つバー部材の長手方向に延びるガイド溝が設けられ、前記ワッシャー部材の対向する両端部がそれぞれ前記バー部材のガイド溝にスライド可能に嵌合されていることを特徴とする。
【００２０】
この第５の発明では、バー部材の長手方向に延びるガイド溝にワッシャー部材の両端部がスライド可能に嵌合されているので、簡単な構成によってバー部材をワッシャー部材に対し相対移動させることができ、物を引っ掛け又は吊り下げる部材を壁面に対して相対的に移動させることができる。
【００２１】
第６の発明は、第５の発明において、下側に位置する前記ガイド溝に係止可能な係止部を有する吊下部材を更に備えることを特徴とする。
【００２２】
この第６の発明では、バー部材に係止される吊下部材を備えるので、バー部材の上端部や長孔に加え、それ以外に吊下部材にも物を吊り下げて使用することができる。
【００２３】
第７の発明は壁掛けバー取付構造に係り、この壁掛けバー取付構造は、第２乃至第６の発明のいずれか１つの壁掛けバーの前記長孔及び前記孔部に前記取付具の雄ネジ部材が挿通され、前記壁面に雌ネジ部材が取付固定されており、前記雌ネジ部材に前記雄ネジ部材が螺合締結されることにより、前記雄ネジ部材及び前記雌ネジ部材間に前記バー部材と前記ワッシャー部材とが挟持されて前記ワッシャー部材の前記バー部材に対するスライドが規制された状態で、前記壁掛けバーが前記壁面に取付固定されていることを特徴とする。
【００２４】
この第７の発明では、第２乃至第６の発明の作用効果を奏する壁掛けバーを壁面に取り付けることができる。
【００２５】
第８の発明は、第７の発明において、前記壁面に取付孔が形成されており、前記雌ネジ部材は、前記壁面の取付孔に基端面が前記壁面に露出した状態で挿入されて取付固定され、該基端面に雌ネジ部が設けられたインサート部材と、先端部に雄ネジ部が設けられ、該雄ネジ部で前記インサート部材の雌ネジ部に螺合締結し、基端部に雌ネジ部が設けられているジョイント部材と、からなることを特徴とする。
【００２６】
この第８の発明では、雌ネジ部材が、壁面の取付孔に挿入されて取付固定されたインサート部材と、このインサート部材の雌ネジ部に螺合締結したジョイント部材とからなるので、ジョイント部材及び雄ネジ部材間にバー部材とワッシャー部材とが挟持されて壁面に取付固定される。すなわち、壁掛けバーは、壁面に該壁面から離れた状態で取付固定される。これにより、簡単な構成によって、壁面を傷つけずにバー部材の上端部や長孔に物を引っ掛けて使用することができる。
【発明の効果】
【００２７】
以上説明したように、本発明によると、バー部材を壁面に対して相対移動可能に固定したことにより、物を引っ掛け又は吊り下げる部材を壁面に対して相対的に移動させることができる。また、壁面を傷つけずにバー部材の上端部や長孔に物を引っ掛けて使用することができる。
【図面の簡単な説明】
【００２８】
【図１】図１は、本発明の実施形態に係る壁掛けバー取付構造の斜視図である。
【図２】図２は、壁掛けバー取付構造の要部の断面を示す、図１のII−II線拡大断面図である。
【図３】図３は、壁掛けバーの正面図である。
【図４】図４は、壁掛けバーの背面図である。
【図５】図５は、壁掛けバーを示す、図３のＶ−Ｖ線拡大断面図である。
【図６】図６は、壁掛けバーの吊下部材における断面を示す、図１のVI−VI線拡大断面図である。
【図７】図７は、壁掛けバーのフック部材における断面を示す、図１のVII−VII線拡大断面図である。
【発明を実施するための形態】
【００２９】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３０】
図１及び図２は、本発明の実施形態に係る壁掛けバー取付構造Ｓを示す。壁掛けバー取付構造Ｓでは、壁掛けバーＢが、建物の壁面Ｗに該壁面Ｗから離れた状態で取付具Ｈ，Ｈ，…により取付固定されている。
【００３１】
−壁掛けバー−
壁掛けバーＢは、細長い板状のバー部材１と、このバー部材１の長手方向にスライド可能に係合支持された例えば４つの四角い板状のワッシャー部材２，２，…とを備えている。バー部材１及び各ワッシャー部材２は、いずれもアルミ製の押出成形材からなる。
【００３２】
図３に示すように、バー部材１は、板状に形成されており、その寸法は、例えば長さ１５００ｍｍ、幅４０ｍｍ及び厚さ１．５ｍｍである。バー部材１の長さは１５００ｍｍの他に例えば１０８０ｍｍや６６０ｍｍであってもよく、必要に応じた任意の長さを採用することができる。バー部材１の例えば幅方向中央部には、長手方向に延びる例えば７つの長孔１ａ，１ａ，…が長手方向に一列に並んで貫通形成されている。これらの長孔１ａ，１ａ，…互いに同じもので、各取付具Ｈ（フック部材６の雄ネジ部６ａ）が挿通可能とされている。なお、各長孔１ａの寸法は、例えば長さ１６７ｍｍ、幅１３ｍｍである。
【００３３】
図４及び図５に示すように、バー部材１裏面の幅方向（図２において、上下方向）の両端部には、互いに対向するように開口し且つバー部材１の長手方向に延びる上側のガイド溝１ｂ及び下側のガイド溝１ｃが設けられている。なお、バー部材１は、その幅方向中間部の厚さが幅方向両端部に比べて厚くなっている。
【００３４】
ワッシャー部材２，２，…は、四角い板状に形成されている。各ワッシャー部材２には、バー部材１の長孔１ａ，１ａ，…に対応し且つ取付具Ｈ（フック部材６の雄ネジ部６ａ）が挿通可能な孔部２ａが貫通形成されている。具体的に、この孔部２ａは円形であり、その径は各長孔１ａの幅より少し小さい。ワッシャー部材２の寸法は、左右の長さが、例えば３０ｍｍであり、上下の長さがバー部材のガイド溝１ｂ，１ｃの間隔と略同じとされている。そして、ワッシャー部材２は、その上下の両端部２ｂ，２ｃが、それぞれバー部材１の裏面の上下のガイド溝１ｂ，１ｃに対応した形状に形成されている。そして、ワッシャー部材２の上下の両端部２ｂ，２ｃは、それぞれバー部材１の裏面の上下のガイド溝１ｂ，１ｃにスライド可能に嵌合されており、このことでワッシャー部材２がバー部材１にスライド可能に支持されている。また、ワッシャー部材２の上下方向中央部２ｄは、両端部２ｂ，２ｃよりも肉薄に形成されている。
【００３５】
壁掛けバーＢは、図１及び図６に示すように、吊下部材３，３を更に備えている。各吊下部材３は、金属製の細長いプレート材を鉤状に湾曲させて形成されており、物を吊り下げるためのものである。各吊下部材３は、その上部にバー部材１の下側に位置するガイド溝１ｃに対応した形状に形成された係止部３ａを有しており、この係止部３ａがガイド溝１ｃにスライド可能に係止されるようになっている。この係止部３ａがガイド溝１ｃにスライド可能に係止することで、各吊下部材３をガイド溝１ｃに沿ってスライドさせて係止位置を変えることができるようにしている。
【００３６】
壁掛けバーＢは、図１及び図７に示すように、フック部材６と、ナット部材（締結部材）８と、を更に備えている。フック部材６及びナット部材８は鋼材からなる。フック部材６は、その先端部に雄ネジ部６ａを有している。この雄ネジ部６ａは、バー部材１の各長孔１ａ及びワッシャー部材２の孔部２ａよりもその径が小さく、各長孔１ａ及び孔部２ａに挿通可能となっている。
【００３７】
また、フック部材６は、基端部にフック部６ｂを有している。このフック部６ｂにおいて、雄ネジ部６ａとの接続部及び基端部が、それぞれ径方向に拡がったフランジ部６ｃ，６ｄとされている。フランジ部６ｃ，６ｄの径は、バー部材１の各長孔１ａの幅よりも大きい。
【００３８】
フック部材６の雄ネジ部６ａは、長孔１ａ及び孔部２ａに挿通されている。
【００３９】
ナット部材８は、フック部材６の雄ネジ部６ａと螺合締結するように、フック部材６の雄ネジ部６ａに対応した形状に形成されている。ナット部材８の外径の最大の長さは、ワッシャー部材２の孔部２ａの径より大きく、ワッシャー部材２の上下方向中央部２ｄの幅より小さい。
【００４０】
ナット部材８は、長孔１ａ及び孔部２ａに挿通されたフック部材６の雄ネジ部６ａと螺合締結される。これにより、ナット部材８は、フック部材６との間にバー部材１とワッシャー部材２とを挟み込むようになっている。この状態で、ナット部材８を雄ネジ部６ａに固く締結することで、ワッシャー部材２のバー部材１に対するスライドを規制することができる。また、ナット部材８の雄ネジ部６ａへの締結を緩めることで、フック部材６、ワッシャー部材２及びナット部材８を長孔１ａ内でバー部材１に対しスライド移動させることができる。
【００４１】
−取付具−
取付具Ｈは、図２に示すようにインサート部材４（雌ネジ部材）と、ジョイント部材５（雌ネジ部材）と、フック部材６（雄ネジ部材）とからなる。インサート部材４、ジョイント部材５は、いずれも鋼材からなる。この取付具Ｈにおけるフック部材６は、上記ナット部材８に螺合締結されるものと同じものが用いられる。
【００４２】
インサート部材４は棒状のもので、その先端側（図２において左側）に雄ネジ部４ａを有している。インサート部材４は、この雄ネジ部４ａを壁面Ｗに穿設された取付孔７に対して螺合させて取付固定されており、その基端面４ｂは壁面Ｗに露出している。取付孔７は、壁面Ｗにおいて、内部に柱などの頑丈な部材が配置されている位置に穿設されており、インサート部材４は、その柱などの頑丈な部材にまで到達するように挿入される。例えば、インサート部材４は、４５５ｍｍ間隔で配置された複数の柱にそれぞれ到達するように取付固定されている。このようにして、取付具Ｈは、頑丈な柱などによって強固に支持された状態で壁面Ｗに取付固定される。
【００４３】
また、インサート部材４は、その基端面４ｂにジョイント部材５と係合するための雌ネジ部４ｃが形成されている。
【００４４】
ジョイント部材５は棒状のもので、先端部に雄ネジ部５ａが設けられている。この雄ネジ部５ａは、インサート部材４の雌ネジ部４ｃに対応した形状に形成されており、ジョイント部材５は、雄ネジ部５ａでインサート部材４の雌ネジ部４ｃと螺合締結されることにより、インサート部材４と一体となっている。雄ネジ部５ａの基端側（図２において右側）には、円柱状のジョイント部（基端部）５ｂが設けられている。このジョイント部５ｂの円柱の径は、ワッシャー部材２の孔部２ａの径より大きく、ワッシャー部材２の上下方向中央部２ｄの幅より小さい。また、ジョイント部５ｂの基端面（基端部）５ｃには雌ネジ部５ｄが設けられている。
【００４５】
−取付構造−
壁掛けバーＢは、例えば水平に配置され且つバー部材１とワッシャー部材２とが壁面Ｗ上のジョイント部材５とフック部材６とによって挟持されて壁面Ｗに取付固定され、この状態ではワッシャー部材２がバー部材１に押し付けられている。
【００４６】
具体的に、壁掛けバーＢの４つのワッシャー部材２，２，…は、例えば、図１に示すように、それぞれバー部材１の４つの長孔１ａ，１ａ，…において、各孔部２ａの中心の間隔４５５ｍｍとなるように位置調整されている。なお、ワッシャー部材２，２，…の位置は、壁面Ｗに取付固定されたインサート部材４，４，…の位置に合わせて調整される。
【００４７】
この状態で、各長孔１ａ及び孔部２ａにフック部材６の雄ネジ部６ａが挿通され、この雄ネジ部６ａはジョイント部材５の雌ネジ部５ｄに螺合締結されており、このことにより、バー部材１及びワッシャー部材２は、フック部材６のフランジ部６ｃ及びジョイント部材５の基端面５ｃ間に挟持されている。これによって、ワッシャー部材２のバー部材１に対するスライドが規制された状態で、壁掛けバーＢが壁面Ｗに取付固定されている。
【００４８】
以上のように、この実施形態では、壁掛けバーＢのバー部材１及びワッシャー部材２，２，…は取付具Ｈ，Ｈ，…によって壁面Ｗに取り付けられる。また、各ワッシャー部材２はバー部材１に対してスライド可能であるので、取付具Ｈにおけるフック部材６を緩めることにより、バー部材１における各取付具Ｈの位置を長手方向に移動させることができる。このことから、バー部材１を壁面Ｗに対して相対的に移動させることができる。そして、バー部材１は、その上端部や長孔１ａ，１ａ，…に物を引っ掛け又は吊り下げることができる。すなわち、物を引っ掛け又は吊り下げる部材を壁面Ｗに対して相対的に移動させることができる。
【００４９】
また、この実施形態では、ジョイント部材５とフック部材６の螺合締結により、ジョイント部材５及びフック部材６間にバー部材１とワッシャー部材２とが挟持されるので、壁掛けバーＢの壁面Ｗへの取り付け及び取り外しが容易である。
【００５０】
また、この実施形態では、バー部材１が吊下部材３を有するので、バー部材１の上端部や長孔１ａ，１ａ，…に加えて、吊下部材３にも物を吊り下げて使用することができる。
【００５１】
また、この実施形態では、ジョイント部材５の雌ネジ部５ａに螺合する雄ネジ部材として、フック部６ｂを有するフック部材６を用いるので、壁掛けバーＢ以外にこのフック部６ｂに物を引っ掛け又は吊り下げて使用することができる。
【００５２】
また、この実施形態では、先端部に長孔１ａ，１ａ，…及び孔部２ａに挿通可能な雄ネジ部６ａを有し基端部にフック部６ｂを有するフック部材６を備えるので、バー部材１の上端部及び長孔１ａ、並びに吊下部材３に加え、それ以外にフック部材６のフック部６ａにも物を引っ掛け又は吊り下げて使用することができる。また、フック部材６は、バー部材１に対しスライド移動可能となっているので、長孔１ａ，１ａ，…の任意の位置に移動させて使用することができる。
【００５３】
また、この実施形態では、取付具Ｈの雄ネジ部材として用いるフック部材６が、ナット部材８に螺合締結されるフック部材６と同一であるので、壁掛けバーＢが壁面Ｗに取付固定されると、同一形状の複数のフック部材６，６，…がバー部材１の長孔１ａ，１ａ，…に並んで配置された状態となる。従って、壁掛けバーＢの見栄えがよくなる。
【００５４】
また、この実施形態では、壁面Ｗに取付固定される雌ネジ部材が、壁面Ｗの取付孔７に挿入されて取付固定されたインサート部材４と、このインサート部材４の雌ネジ部４ｃに螺合締結したジョイント部材５とからなり、ジョイント部材５及びフック部材６間にバー部材１とワッシャー部材２とが挟持されて壁面Ｗに取付固定される。すなわち、壁掛けバーＢは、壁面Ｗに該壁面Ｗから離れた状態で取付固定される。これにより、簡単な構成によって、壁面Ｗを傷つけずにバー部材１の上端部や長孔１ａ，１ａ，…に物を引っ掛けて使用することができる。
【００５５】
また、この実施形態では、フック部材６の雄ネジ部６ａを各長孔１ａ及び孔部２ａに挿通させてジョイント部材５の雌ネジ部５ｄに螺合締結させることにより、フック部材６及びジョイント部材５間にバー部材１とワッシャー部材２とが挟持されるので、フック部材６のジョイント部材５への螺合締結によって壁掛けバーＢの壁面Ｗへの取り付け及び取り外しが容易である。また、壁掛けバーＢを壁面Ｗに使用しないとき、すなわち、壁掛けバーＢを壁面Ｗから取り外した状態でも、取付孔７にはインサート部材４などが取付固定されているので、取付孔７が壁面Ｗに露出せず、建物の美観を保つことができる。更に、壁掛けバーＢを壁面Ｗから取り外した状態でも、フック部材６をジョイント部材５に螺合締結させることにより、壁面Ｗのフック部材６のフック部６ｂに物を引っ掛け又は吊り下げることができる。
【００５６】
また、この実施形態では、バー部材１及びワッシャー部材２，２，…が取付具Ｈ，Ｈ，…によって挟持されることにより、バー部材１がワッシャー部材２，２，…によって補強される。従って、バー部材１のみが取付具Ｈ，Ｈ，…によって挟持される場合と比較して、支持強度を高くすることができる。更に、取付具Ｈ，Ｈ，…は、頑丈な柱などによって強固に支持された状態で壁面Ｗに取付固定される。その結果、壁掛けバーＢには、比較的重い物を引っ掛け又は吊り下げることができる。
【００５７】
（その他の実施形態）
上記実施形態において、バー部材１の長孔の数は７つとしたが、これに限られず、５つ又は３つであってもよく、複数であればよい。
【００５８】
また、上記実施形態において、ワッシャー部材２及び取付具Ｈの数は４つとしたが、これに限られず、複数であればよい。バー部材１の長さが長いほどワッシャー部材２及び取付具Ｈの数を多くすれば、支持強度が大きくなる。
【００５９】
また、上記実施形態において、壁掛けバーＢは、２つの吊下部材３，３並びに一組のフック部材６及びナット部材８を備えるとしたが、吊下部材３、フック部材６及びナット部材８の数はこれに限られず、バー部材１の長さ、長孔１ａの数、又は、用途に応じて変更することができる。また、吊下部材３、フック部材６及びナット部材８を備えていない構成としてもよい。
【００６０】
また、上記実施形態において、ナット部材８が、長孔１ａ及び孔部２ａに挿通されたフック部材６の雄ネジ部６ａと螺合締結されるとしたが、これに限られない。例えば、雄ネジ部６ａと螺合締結する雌ネジ部が形成され、長孔１ａ及び孔部２ａに挿通されたフック部材６の雄ネジ部６ａを先端部まで覆うような樹脂製のキャップ部材が、雄ネジ部６ａに螺合締結されてもよい。
【００６１】
また、上記実施形態において、吊下部材３は独立した部材としたが、ワッシャー部材２と一体に形成されていてもよい。これにより、ワッシャー部材２の孔部２ａにフック部材６の雄ネジ部６ａを挿通させて、ジョイント部材５又はナット部材８に固く螺合締結させることにより、吊下部材３のバー部材１に対するスライドを規制することができる。
【産業上の利用可能性】
【００６２】
本発明は、壁掛けバー及びその取付構造として利便性が高く、極めて有用であり、産業上の利用可能性が高い。
【符号の説明】
【００６３】
Ｓ      壁掛けバー取付構造
Ｂ      壁掛けバー
Ｗ      壁面
Ｈ      取付具
１      バー部材
１ａ    長孔
１ｂ    上側ガイド溝
１ｃ    下側ガイド溝
２      ワッシャー部材
２ａ    孔部
２ｂ    上側の端部
２ｃ    下側の端部
３      吊下部材
３ａ    係止部
４      インサート部材（雌ネジ部材）
４ｂ    インサート部材の基端面
４ｃ    インサート部材の雌ネジ部
５      ジョイント部材（雌ネジ部材）
５ａ    ジョイント部材の雄ネジ部
５ｃ    ジョイント部材の基端面（基端部）
５ｄ    ジョイント部材の雌ネジ部
６      フック部材（雄ネジ部材）
６ａ    フック部材の雄ネジ部
６ｂ    フック部材のフック部
７      取付孔
８      ナット部材（締結部材）
【手続補正２】
【補正対象書類名】特許請求の範囲
【補正対象項目名】全文
【補正方法】変更
【補正の内容】
【特許請求の範囲】
【請求項１】
建物の壁面に該壁面から離れた状態で取付具により取付固定される壁掛けバーであって、
長手方向に延び且つ前記取付具が挿通可能な少なくとも１つの長孔が貫通形成された板状のバー部材と、
前記バー部材に長手方向にスライド可能に係合支持され、前記長孔に対応し且つ前記取付具が挿通可能な孔部が貫通形成された複数のワッシャー部材と、を備え、
前記取付具により、前記ワッシャー部材が前記バー部材に押し付けられて前記ワッシャー部材の前記バー部材に対するスライドが規制された状態で、前記壁面に取付固定されるように構成されていることを特徴とする壁掛けバー。
【請求項２】
請求項１に記載した壁掛けバーにおいて、
前記取付具は、前記壁面に取付固定され且つ雌ネジ部を有する雌ネジ部材と、該雌ネジ部材の雌ネジ部に螺合可能でかつ前記長孔及び前記孔部に挿通可能な雄ネジ部を有する雄ネジ部材とからなり、
前記雄ネジ部材の雄ネジ部を前記長孔及び前記孔部に挿通させて前記雌ネジ部材の雌ネジ部に螺合締結させることにより、前記雄ネジ部材及び前記雌ネジ部材間に前記バー部材と前記ワッシャー部材とが挟持されて前記ワッシャー部材の前記バー部材に対するスライドが規制され、かつ前記バー部材が雌ネジ部材に固定されるように構成されていることを特徴とする壁掛けバー。
【請求項３】
請求項２に記載した壁掛けバーにおいて、
前記取付具の雄ネジ部材は先端部に前記雄ネジ部を有し、基端部にフック部を有することを特徴とする壁掛けバー。
【請求項４】
請求項１〜３のいずれか１項に記載した壁掛けバーにおいて、
先端部に、前記バー部材の長孔において前記取付具の挿通位置とは異なる位置と、前記取付具が挿通されるワッシャー部材とは異なるワッシャー部材の孔部とに挿通される雄ネジ部を有し、基端部にフック部を有するフック部材と、
前記フック部材の雄ネジ部が前記長孔及び前記孔部に挿通された状態の該雄ネジ部と螺合締結され、前記フック部材との間に前記バー部材と前記ワッシャー部材とを挟み込む締結部材と、を更に備え、
前記長孔及び前記孔部に挿通された状態の前記フック部材の雄ネジ部と前記締結部材との締結により、前記フック部材、前記ワッシャー部材及び前記締結部材が前記長孔内で前記バー部材に対しスライド移動可能となって、前記フック部材が前記バー部材に取付支持されていることを特徴とする壁掛けバー。
【請求項５】
請求項１〜４のいずれか１項に記載した壁掛けバーにおいて、
前記バー部材及び前記ワッシャー部材は押出成形材からなり、
前記バー部材裏面の幅方向の両端部には、互いに対向するように開口し且つバー部材の長手方向に延びるガイド溝が設けられ、
前記ワッシャー部材の対向する両端部がそれぞれ前記バー部材のガイド溝にスライド可能に嵌合されていることを特徴とする壁掛けバー。
【請求項６】
請求項５に記載した壁掛けバーにおいて、
下側に位置する前記ガイド溝に係止可能な係止部を有する吊下部材を更に備えることを特徴とする壁掛けバー。
【請求項７】
請求項２〜６のいずれか１項に記載した壁掛けバーの前記長孔及び前記孔部に前記取付具の雄ネジ部材が挿通され、
前記壁面に雌ネジ部材が取付固定されており、
前記雌ネジ部材に前記雄ネジ部材が螺合締結されることにより、前記雄ネジ部材及び前記雌ネジ部材間に前記バー部材と前記ワッシャー部材とが挟持されて前記ワッシャー部材の前記バー部材に対するスライドが規制された状態で、前記壁掛けバーが前記壁面に取付固定されていることを特徴とする壁掛けバー取付構造。
【請求項８】
請求項７に記載した壁掛けバー取付構造において、
前記壁面に取付孔が形成されており、
前記雌ネジ部材は、
前記壁面の取付孔に基端面が前記壁面に露出した状態で挿入されて取付固定され、該基端面に雌ネジ部が設けられたインサート部材と、
先端部に雄ネジ部が設けられ、該雄ネジ部で前記インサート部材の雌ネジ部に螺合締結し、基端部に雌ネジ部が設けられているジョイント部材と、からなることを特徴とする壁掛けバー取付構造。